(57)【要約】【課題】取り付け取り外しが簡便で、軒樋の長さ方向に対して斜め切れを防止可能であり、電動丸鋸やチェーンソウなどを使用する際にも好適に用いられる軒樋切断治具を提供する。【解決手段】軒樋２を切断する際に軒樋２の外側に嵌合されて用いられ、軒樋の本体部を嵌合する本体部１１と、この本体部１１の上端に一体に設けられ、軒樋２の両耳部を把持する一対の耳把持部１２，１３とからなり、一方の耳把持部１２の先端から幅広の張出し片１４が一体に延設され、この張出し片１４の先端が軒樋２の耳部２１の内縁よりも軒樋２の内方に位置している軒樋切断治具。【選択図】  図１
2004346535.tif 000002
【特許請求の範囲】
【請求項１】
軒樋を切断する際に軒樋の外側に嵌合されて用いられる軒樋切断治具であって、軒樋の本体部を嵌合する本体部と、この本体部の上端に一体に設けられ、軒樋の両耳部を把持する一対の耳把持部とからなり、少なくとも一方の耳把持部の先端から幅広の張出し片が一体に延設され、この張出し片の先端が軒樋の耳部の内縁よりも軒樋の内方に位置していることを特徴とする軒樋切断治具。
【請求項２】
本体部の内面側に、軒樋の側壁部にその長手方向に沿って設けられた溝部の一部に係止する突起が設けられていることを特徴とする請求項１記載の軒樋切断治具。
【発明の詳細な説明】
【０００１】
【発明の属する技術分野】
本発明は、ノコや電動丸ノコ、チェーンソウなどを用いて軒樋を切断する際に用いられる軒樋切断治具に関する。
【０００２】
【従来の技術】
従来、軒樋は施工現場において所望の長さに切断されて用いられるが、一般に材料の剛性が小さく肉厚も薄いため、軒樋が揺れ動き易く切断し難いものであった。また、切断面が長さ方向に対して斜め切れになり易いものであった。
【０００３】
上記に関し、例えば特許文献１には、軒樋が下向き開口状態で載置される支持台と、該支持台に着脱され同軒樋をその外面に沿って当接保持する保持片部材と、を備えた軒樋切断用治具であって、軒樋の両端縁耳部が係合される耳支持部を支持台の両側に配設して、該両耳支持部間に同軒樋が架設状態で支持されるようになし、保持片部材には鋸刃が挿入される切断ラインに沿った位置決めスリットを形成し、該位置決めスリットと対応する位置で同支持台の両耳支持部に鋸刃が挿入される補助スリットを配設形成し、該補助スリットを同耳支持部から下方へ延設して切断後の鋸刃が収容されるようになした軒樋切断用治具が開示されている。
【０００４】
【特許文献１】
特開２００３−１１０９２号公報
【０００５】
【発明が解決しようとする課題】
しかし、本発明者の検討によれば、上記切断治具は、電動丸鋸やチェーンソウなどを直接使用することが困難であることや、電動丸鋸やチェーンソウなどを使用するために、一旦ケガキ線を引いた後に治具を取り外してケガキ線に沿って切断する方法において、治具の取り付けが若干面倒なこと、スリットを介してのケガキ線が引きにくいこと、ケガキ線を引いた後の治具の取り外しが若干面倒なことなどの問題があった。
【０００６】
本発明の目的は、上記従来の問題点に鑑み、取り付け取り外しが簡便で、軒樋の長さ方向に対して斜め切れを防止可能であり、電動丸鋸やチェーンソウなどを使用する際にも好適に用いられる軒樋切断治具を提供することにある。
【０００７】
【課題を解決するための手段】
請求項１記載の軒樋切断治具は、軒樋を切断する際に軒樋の外側に嵌合されて用いられる軒樋切断治具であって、軒樋の本体部を嵌合する本体部と、この本体部の上端に一体に設けられ、軒樋の両耳部を把持する一対の耳把持部とからなり、少なくとも一方の耳把持部の先端から幅広の張出し片が一体に延設され、この張出し片の先端が軒樋の耳部の内縁よりも軒樋の内方に位置していることを特徴とする。
【０００８】
請求項２記載の軒樋切断治具は、請求項１記載の軒樋切断治具であって、本体部の内面側に、軒樋の側壁部にその長手方向に沿って設けられた溝部の一部に係止する突起が設けられていることを特徴とする。
【０００９】
【発明の実施の形態】
以下、本発明の実施の形態について、図面を参照しつつ説明する。
本発明の軒樋切断治具１は、例えば図１、２に例示するように、軒樋２を切断する際に軒樋２の外側に嵌合されて用いられるものであって、軒樋２の本体部を嵌合する本体部１１と、この本体部１１の上端に一体に設けられ、軒樋の両耳部２１，２２を把持する一対の耳把持部１２，１３とからなっている。一方の耳把持部１２の先端から幅広（Ａの部分）の張出し片１４が一体に延設され、この張出し片１４の先端が軒樋２の耳部２１の内縁よりも軒樋２の内方に位置している。この場合、張出し片１４の幅は、本体部１１の幅と同じにされている。本体部１１の一端縁側には鍔状のガイド当て面１５が外向きに形成されている。
【００１０】
上記軒樋切断治具１の内側形状としては、軒樋切断治具１を軒樋２の外側に取り付けた際に、ガタツキや長さ方向のズレが起こらずに軒樋２の外側に保持可能な形状であれば特に限定されないが、軒樋切断治具１を軒樋２の外側に取り付けた際に、軒樋切断治具１の内面と軒樋２の外面との間の隙間が大きすぎると、軒樋切断治具１を軒樋２の外側に保持し難くなり、ガタツキや長さ方向のズレが起り易くなるので、軒樋切断治具１の内面と軒樋２の外面との間の隙間は、０．１〜１．２ｍｍであることが好ましい。
【００１１】
図２、３に例示するように、本体部１１の内面には段部４が設けられ、この段部４の先端より突起４ａがほぼ水平に突設されている。この突起４ａは軒樋２の前側壁部にその長手方向に沿って設けられた倒置Ｊ字状の溝部３の一部に係止するようになっている。このように突起４ａを設けることで、軒樋切断治具１が軒樋２に確実に保持され易くなる。
【００１２】
上記軒樋２を切断する際には、例えば図１に示すように軒樋切断治具１を取り付け、ガイド当て面１５に沿って手ノコや電動丸ノコ、チェーンソウなどを用いて軒樋２を切断することにより、斜め切れを防止し、容易に切断することが可能となる。
【００１３】
上記ガイド当て面１５部に、図１、３に例示するような鍔部７が設けられてなると、切断時のガイド機能を発揮し易くなる点で好ましい。また、この鍔部７を補強するためにリブ８，８・・が設けられてもよい。
【００１４】
更に、本発明においては、例えば、軒樋切断治具１を取り付け、軒樋２の外側にガイド当て面１５に沿って一旦ケガキ線を引いた後に、軒樋切断治具１を取り外してケガキ線に沿って切断することも可能であり、特に電動丸鋸やチェーンソウなどを使用する際に好適に用いられる。
【００１５】
更に、張出し片１４の先端が軒樋２の耳部２１の内縁よりも軒樋２の内方に位置しているので、例えば上記のように軒樋切断治具１を軒樋２の外側に取り付けてケガキ線を引いた後に、張り出し片１４を掴んで引っ張ることで、軒樋切断治具１を軒樋２の幅方向に容易に取り外すことができ、良好な作業性が得られる。
【００１６】
上記張出し片１４の幅Ａは、本体部１１の幅より狭くしてもよい。また、上記実施例では、張出し片１４を、軒樋２の前耳部を把持する耳把持部１２側に設けたが、後耳部を把持する耳把持部１３側に設けてもよいし、あるいは両方に設けてもよい。
【００１７】
上記軒樋切断治具１の材質としては、弾性変形や塑性変形しやすいものであることが、取り外しが容易になる点で好ましいが、繰り返し使用ができる点では弾性変形しやすいものがより好ましい。
【００１８】
上記材質としては、例えば、ポリエチレン、ポリプロピレン、ポリカーボネート、ポリ塩化ビニルなどのプラスチック材料や金属材料などが挙げられる。
【００１９】
【発明の効果】
以上のように、本発明によれば、張出し片の先端が軒樋の耳部の内縁よりも軒樋の内方に位置しているので、軒樋の切断時に取り付け取り外しが簡便で、軒樋の長さ方向に対して斜め切れを防止可能であり、電動丸鋸やチェーンソウなどを使用する際にも好適に用いられる軒樋切断治具を提供することができる。
【００２０】
このため、電動丸鋸やチェーンソウなどを直接使用することができるばかりでなく、一旦ケガキ線を引いた後に治具を取り外してケガキ線に沿って切断する方法においても、ケガキ線が引き易く、ケガキ線を引いた後の治具の取り外しが極めて容易となる。
【図面の簡単な説明】
【図１】本発明に係る軒樋切断治具の一例を使用状態とともに示す模式斜視図である。
【図２】図１対応の縦断面図である。
【図３】図１対応の正面図である。
【符号の説明】
１  軒樋切断治具
１１  本体部
１２，１３  耳把持部
１４  張出し片
１５  ガイド当て面
２  軒樋
２１，２２  耳部
３  溝部
４  段部
４ａ  突起
７  鍔部
８  リブ
【図１】
2004346535.tif 000003
【図２】
2004346535.tif 000004
【図３】
2004346535.tif 000005